(57)【要約】【課題】  受け入れた遊技球が入賞へ向って移動する軌跡を制御することで、遊技球の入賞が直前に至るまで予想がつき難く、遊技者がその移動期間をフルに期待感をもって楽しむことができるパチンコ遊技機の入賞装置の提供を課題とする。【解決手段】  遊技球Ｂを受け入れる受入口１１と受け入れた遊技球Ｂを入賞検出手段へ導くための排出口１２を設けたケース体１０、ケース体１０内にあって受入口１１から受け入れた遊技球Ｂを保持ポケット２０ａに保持した状態で回転する回転体２０を有し、回転体２０は遊技球Ｂを円周方向に移動させる外円体２１、遊技球Ｂを保持ポケット２０ａ内で半径方向に移動させる内円体２２を有し、外円体２１によって移動される遊技球Ｂの円周方向位置と内円体２２によって移動される遊技球Ｂの半径方向位置とが排出口１２の位置に一致したときに、遊技球Ｂが排出口１２から排出されて入賞検出手段へ導かれる。【選択図】      図１
2007000512.tif 000002
【特許請求の範囲】
【請求項１】
遊技盤面上に設けられ、遊技領域を流下してくる遊技球を受け入れて遊技盤の背面側の入賞検出手段へ導くようにしたパチンコ遊技機の入賞装置であって、
流下してくる遊技球を受け入れる受入口と、受け入れた遊技球を前記入賞検出手段へ導くための排出口とを少なくとも設けたケース体と、該ケース体内にあって前記受入口から受け入れた遊技球を保持ポケットに保持した状態で回転する回転体とを有し、且つ前記回転体は、前記遊技球を円周方向に移動させる外円体と、前記遊技球を保持ポケット内で半径方向に移動させる内円体とを有し、前記外円体によって移動される遊技球の円周方向位置と前記内円体によって移動される遊技球の半径方向位置とが前記排出口の位置に一致したときに遊技球が排出口から排出されて前記入賞検出手段へ導かれる構成としたことを特徴とするパチンコ遊技機の入賞装置。
【請求項２】
内円体はカム状になっており、内円体に接する状態で保持ポケット内に保持される遊技球が内円体の回転に伴って半径方向に移動される構成としたことを特徴とする請求項１に記載のパチンコ遊技機の入賞装置。
【請求項３】
外円体と内円体との回転方向、回転速度の相違により、保持ポケットに保持された遊技球を排出口に導く入賞サイクルと、排出口に導かない非入賞サイクルとをもたらす構成としたことを特徴とする請求項１又は２に記載のパチンコ遊技機の入賞装置。
【請求項４】
ケース体に排出口を円周方向に複数個設け、保持ポケットに保持された遊技球を排出口に導く２種類以上の入賞サイクルをもたらす構成としたことを特徴とする請求項１〜３の何れかに記載のパチンコ遊技機の入賞装置。
【請求項５】
受け入れた遊技球を遊技盤の背面側の入賞検出手段へ導くための排出口の他に、受け入れた遊技球をハズレ状態に導くためのハズレ口をケース体に設けたことを特徴とする請求項１〜４の何れかに記載のパチンコ遊技機の入賞装置。
【発明の詳細な説明】
【技術分野】
【０００１】
本発明はパチンコ遊技機の入賞装置に関する。
【背景技術】
【０００２】
従来、パチンコ遊技機の遊技盤面上に配置された入賞装置においては、回転体に複数の形状を異ならしめた受入部を設け、遊技球がどの受入部に受け入れられたかによって、それぞれ異なる入賞領域に誘導するものがあった。また遊技球を受け入れる回転体が何れの方向に回転するかによって、例えば左回転は入賞、右回転はハズレというように、回転方向によって入賞の有無が決まるものがあった。
しかしこれらの従来技術は、入賞した瞬間に、前者では回転体の受入部の形状で、後者は回転体の回転方向で、大方どの入賞領域に入賞するかが決まってしまい、入賞領域に至るまでの過程に面白みがなくなってしまい、受入部に入賞するまでのごく僅かな時間でしか期待感を得られないことになり、遊技をつまらなくしてしまう問題があった。
また実開平３−８８５８４号公報には、パチンコ機における振分装置として、第１回転体（４）と第２回転体（６）とを有し、第１回転体（４）と第２回転体（６）の回転を互いに異なる態様で行うことで、遊技球の受け取り、保持、放出のバリエーションを変化に富むようにした振分装置が開示されている。
また特開平８−２０６２９１号公報には、遊技機用電動役物装置として、第１ドラム（１１）と第２ドラム（１９）とを有し、遊技球を第１ドラム（１１）と第２ドラム（１９）によって振り分けることで、当りになったりハズレになったりするように構成されたものが開示されている。
【特許文献１】実開平３−８８５８４号公報
【特許文献２】特開平８−２０６２９１号公報
【発明の開示】
【発明が解決しようとする課題】
【０００３】
ところが上記特許文献１に係る発明は、あくまで遊技球をあれこれと振り分ける振分装置であり、第１回転体（４）と第２回転体（６）とによって、遊技球のランダムな受け入れとランダムな放出とを行うことができるものではあるが、入賞に至る過程を、時間をかけて演出し、遊技者にその間、入賞の期待感を持続させるような構成を施したものではなかった。
また上記特許文献２に係る遊技機用電動役物装置では、第１ドラム（１１）の区画部（３０）の保持部（３０ａ）に入り込むか否か、また第２ドラム（１９）の区画部（５１）の保持部（５１ａ）か非保持部（５１ｂ）かの何れに入り込むかにによって、実際の入賞の有無が、その時点で比較的早期に、また単純に遊技者に判ってしまうことから、問題があった。入賞領域に至るまでの過程に面白みがなくなってしまい、受入部に入賞するまでのごく僅かな時間でしか期待感を得られないものであった。
【０００４】
そこで本発明は上記従来の遊技機の入賞装置における問題を解消し、外円体と内円体の２つの回転手段を用いて、受け入れた遊技球が入賞へ向って移動する軌跡を制御することで、その遊技球が実際に入賞するものであるか否かが直前に至るまで予想がつき難く、よって遊技者がその移動時間をフルに期待感をもって楽しむことができるパチンコ遊技機の入賞装置の提供を課題とする。
【課題を解決するための手段】
【０００５】
上記課題を達成するため、本発明のパチンコ遊技機の入賞装置は、遊技盤面上に設けられ、遊技領域を流下してくる遊技球を受け入れて遊技盤の背面側の入賞検出手段へ導くようにしたパチンコ遊技機の入賞装置であって、
流下してくる遊技球を受け入れる受入口と、受け入れた遊技球を前記入賞検出手段へ導くための排出口とを少なくとも設けたケース体と、該ケース体内にあって前記受入口から受け入れた遊技球を保持ポケットに保持した状態で回転する回転体とを有し、且つ前記回転体は、前記遊技球を円周方向に移動させる外円体と、前記遊技球を保持ポケット内で半径方向に移動させる内円体とを有し、前記外円体によって移動される遊技球の円周方向位置と前記内円体によって移動される遊技球の半径方向位置とが前記排出口の位置に一致したときに遊技球が排出口から排出されて前記入賞検出手段へ導かれる構成としたことを第１の特徴としている。
また本発明のパチンコ遊技機の入賞装置は、上記第１の特徴に加えて、内円体はカム状になっており、内円体に接する状態で保持ポケット内に保持される遊技球が内円体の回転に伴って半径方向に移動される構成としたことを第２の特徴としている。
また本発明のパチンコ遊技機の入賞装置は、上記第１又は第２の特徴に加えて、外円体と内円体との回転方向、回転速度の相違により、保持ポケットに保持された遊技球を排出口に導く入賞サイクルと、排出口に導かない非入賞サイクルとをもたらす構成としたことを第３の特徴としている。
また本発明のパチンコ遊技機の入賞装置は、上記第１〜第３の何れかの特徴に加えて、ケース体に排出口を円周方向に複数個設け、保持ポケットに保持された遊技球を排出口に導く２種類以上の入賞サイクルをもたらす構成としたことを第４の特徴としている。
また本発明のパチンコ遊技機の入賞装置は、上記第１〜第４の何れかの特徴に加えて、受け入れた遊技球を遊技盤の背面側の入賞検出手段へ導くための排出口の他に、受け入れた遊技球をハズレ状態に導くためのハズレ口をケース体に設けたことを第５の特徴としている。
【発明の効果】
【０００６】
請求項１に記載のパチンコ遊技機の入賞装置によれば、遊技盤面上で入賞装置の受入口から受け入れられた遊技球は、保持ポケットに保持された状態で、回転体の外円体によって円周方向に移動されると共に、回転体の内円体によって半径方向に移動される。この遊技球の移動に伴う円周方向位置と半径方向位置とが排出口の位置に一致したときに遊技球が排出口から排出されて遊技盤の背面側の入賞検出手段に導かれる。前記遊技球の移動に伴う円周方向位置と半径方向位置とが排出口の位置に一致しない場合は、遊技球は排出口をそのまま通過する。
保持ポケットに保持された遊技球は円周方向へ移動しながら次第に排出口にその円周方向位置を近づけてゆく一方、半径方向にも揺れ動くようにその位置を変化させながら軌跡を構成してゆくため、次第に迫り来る排出口に対して遊技球の移動軌跡がはたしてちょうど排出口の位置に一致するようになるのか否かがなかなか予測できない。このため遊技者は保持ポケットに保持されて移動されてゆく遊技球の動きを移動開始から排出口に至る直前までのフル期間、期待感をもって、且つ次第に緊迫感を高めながら見つめて行くことになり、緊迫感と期待感に充ちた遊技状態を経験することができる。また最後の最終に排出口に入ったときの十分な達成感を味わうことができる。
【０００７】
また請求項２に記載のパチンコ遊技機の入賞装置によれば、上記請求項１に記載の構成による効果に加えて、内円体はカム状になっており、内円体に接する状態で保持ポケット内に保持される遊技球が内円体の回転に伴って半径方向に移動される構成としているので、内円体のカム形状を適当に設定することで、簡単で容易な構成で遊技球の半径方向の移動を制御することができる。また種々のカム形状を用意することで、遊技球の半径方向の移動が種々に変化するものを色々と簡単に提供することができる。
【０００８】
また請求項３に記載のパチンコ遊技機の入賞装置によれば、上記請求項１又は２に記載の構成による効果に加えて、外円体と内円体との回転方向、回転速度を相違させることで、受け入れられた遊技球が排出口に導かれる入賞サイクルと遊技球が排出口に導かれない非入賞サイクルとを簡単な構成することができる。特に外円体と内円体との回転方向を同じにするか否か、加えて外円体と内円体との回転速度を色々と相違ならしめることで、入賞サイクルと非入賞サイクルとの色々なバリエーションを簡単に構成することができる。
【０００９】
また請求項４に記載のパチンコ遊技機の入賞装置によれば、上記請求項１〜３の何れかに記載の構成による効果に加えて、ケース体に排出口を円周方向に複数個設け、保持ポケットに保持された遊技球を排出口に導く２種類以上の入賞サイクルをもたらす構成としたので、遊技者は遊技球が１つ目の排出口に入らない場合でも２つ目の排出口への入賞サイクルを更に期待することになり、受け入れた遊技球の移動に伴う入賞の期待感を更に持続させることになり、波状的な期待感、緊張感を遊技者に与えることができる。
【００１０】
また請求項５に記載のパチンコ遊技機の入賞装置によれば、上記請求項１〜４の何れかに記載の構成による効果に加えて、受け入れた遊技球を遊技盤の背面側の入賞検出手段へ導くための排出口の他に、受け入れた遊技球をハズレ状態に導くためのハズレ口をケース体に設けたので、受け入れた遊技球が入賞とならない状態でハズレとしてハズレ口から出てしまう場合もあることで、遊技者に対して遊技球がハズレ口を無事通過してくれるかという緊張感を、前記排出口への一致に対する期待感に併せてもたらすことができる。
【発明を実施するための最良の形態】
【００１１】
図１は本発明に係るパチンコ遊技機の遊技盤の正面図、図２は本発明の実施形態であるパチンコ遊技機の入賞装置の斜視図、図３は同入賞装置の分解斜視図、図４は同入賞装置の断面図である。図５は入賞装置のケース体と外円体と内円体と排出口との位置関係を示す図である。
【００１２】
先ず図１を参照して、パチンコ遊技機の遊技盤１には、その盤面に円形の領域からなる遊技領域２が設けられており、遊技領域２には図柄表示部３ａを備えたセンターケース３、始動口４、電動役物５、振分装置６、入賞装置７、大入賞口８等が設けられている。
始動口４に遊技球が入ると、センターケース３の図柄表示部３ａにおいて、図柄が変動し、その図柄が一定の関係に揃うと、始動口４の下方にある電動役物５が一定時間開放される。電動役物５が開放されると、その間に遊技球が電動役物５を介して振分装置６に入りやすくなる。振分装置６内に入った遊技球Ｂが、行き先を振り分けられ、結果として特別の領域に入ると大当りとなる権利が発生する。この状態になると、遊技者は遊技領域２の右上肩にある回転体を備えた入賞装置７に遊技球Ｂが入るように打つ。入賞装置７では、上部にある遊技球Ｂの受入口１１から遊技球Ｂを取り込み、遊技球Ｂを円周方向に移動させる。そして遊技球Ｂが入賞装置７を通って、その排出口１２から排出されて遊技盤１の背面側にある図示しない入賞検出手段へ導かれると、入賞装置７の下方の大入賞口８が所定時間開放される。大入賞口８が開くと遊技球Ｂが大入賞口８に非常に入りやすくなり、遊技球Ｂの報酬を非常に得やすくなる。
【００１３】
図２〜図５も参照して、本発明に係る入賞装置を更に説明する。
入賞装置７は、ケース体１０と、該ケース体１０の内部に設けられる回転体２０とを有する。
前記ケース体１０には遊技球の受入口１１と遊技球の排出口１２とが設けられている。ケース体１０には排出樋１３が前記排出口１２に対して接続されている。排出樋１３は排出口１２から排出された遊技球Ｂを遊技盤１の背面側の図示しない入賞検出手段へ導く役割をなす。
またケース体１０は基部１０ａとカバー部１０ｂとからなり、それら基部１０ａとカバー部１０ｂとがネジ結合されることで、ケース体１０となる。ケース体１０は基部１０ａの背面が遊技盤１の開口部１ａから遊技盤１の背面側に臨むように、前記カバー部１０ｂのフランジにて開口部１ａ周縁にネジ固定される。
前記受入口１１はケース体１０のカバー部１０ｂに設けられている。また前記排出口１２はケース体１０の基部１０ａに設けられている。
【００１４】
前記回転体２０は外円体２１と内円体２２との組み合わせからなり、ケース体１０内において回転自在に取り付けられている。
また前記回転体２０には、前記受入口１１から受け入れた遊技球を保持する保持ポケット２０ａが構成されている。
保持ポケット２０ａは、該保持ポケット２０ａの少なくとも両側壁を構成するものとして外円体２１に形成された受入溝部２１ａと、前記保持ポケット２０ａの浮動底部を構成するものとして前記受入溝部２１ａの底部に一部が侵入状態に組み合わされる内円体２２との組み合わせによって構成される。また保持ポケット２０ａの前面側は、ケース体１０のカバー部１０ｂによって遊技球Ｂの脱落が阻止されるようになっている。保持ポケット２０ａの背面側は前記排出口１２のある部分を除いてケース体１０の基部１０ａに設けたガイド突起１０ｃによって遊技球の脱落が阻止されるようになっている。
【００１５】
前記回転体２０の外円体２１は、円板２１ｂの外周に短筒２１ｃを取り付けたようなキャップ状の形状をしており、その短筒２１ｃの一部が半径方向に深く凹まされた状態に受入溝部２１ａが構成されている。受入溝部２１ａの前面側である円板２１ｂ部分は、その部分が省略されて開放されている。勿論、受入溝部２１ａの背面側も開放されている。
受入溝部２１ａの底部は、側壁にかけての領域において、広幅のスリット２１ｄが形成されている。このスリット２１ｄに対して内円体２２が侵入した状態に組み合わされる。
外円体２１に対しては、外円体用駆動源２３がケース体１０の外側に取り付けられ、該外円体用駆動源２３の回転シャフト２３ａがケース体１０内に延びてその先端で外円体２１の回転中心に固定されている。外円体用駆動源２３の回転シャフト２３ａが回転されることで、外円体２１が回転される。
外円体１１の回転速度、その速度変更、及び回転方向は自在に設定することができる。勿論、予め設定したプログラムに従って、その回転速度及び回転方向を変更しながらプログラム制御運転をさせることができる。
【００１６】
前記回転体２０の内円体２２は、回転中心から周縁までの半径が場所によって異なるようにしたカム状になされている。実際には図５に示すように、全周の約２／３を充足半径Ｒ１とし、残る約１／３を非充足半径Ｒ２としたカム状の内円体２２としている。勿論、内円体２２は、カム状という言葉にとらわれるものではない。回転中心から周縁までの半径が円周の何処かで変化するようなものであればよい。
内円体２２が回転することで、保持ポケット２０ａの底部の位置が上下動し、保持ポケット２０ａに保持される遊技球の位置が内円体２２によって押し上げられり、下がったりする。内円体２２の充足半径Ｒ１領域が保持ポケット２０ａに侵入した状態にあるときには、遊技球Ｂの半径方向位置が排出口１２の半径方向位置とちょうど一致する。一方、内円体２２の非充足半径Ｒ２領域が保持ポケット２０ａに侵入した状態にあるときには、遊技球Ｂの半径方向位置が排出口１２の半径方向位置と一致しなくなる。
内円体２２にはボス孔２２ａが設けられており、該ボス孔２２ａはボールベアリング２４を介して前記外円体用駆動源２３の回転シャフト２３ａに外嵌合しており、これによって内円体２２は自在に回転できるようになされている。
そして内円体２２に対しては、内円体用駆動源２５がケース体１０の外側に取り付けられ、該内円体用駆動源２５の回転シャフト２５ａに取り付けたギア２６と前記内円体２２のボス孔２２ａに対して取り付けられたギア２７とを噛み合わせて構成している。これにより内円体用駆動源２５を駆動することで、内円体２２が回転される。
内円体２２の回転速度、その速度変更、及び回転方向も自在に設定することができる。予め設定したプログラムに従って、その回転速度及び回転方向を変更しながらプログラム制御運転をさせることもできる。
なお本実施形態では、外円体２１と内円体２２とを別々の駆動源２３、２５で駆動させるようにしているが、１つの駆動源を用いて、ギヤの組み合わせでそれぞれ異なる回転方向や回転速度に制御するようにしてもよい。
【００１７】
前記ケース体１０、回転体２０の外円体２１と内円体２２とを何れも透明樹脂等の透明材料で構成することで、遊技者は盤面の前方から入賞装置７を図５に示すような状態で透けた状態で見ることができる。即ち、遊技球Ｂが保持ポケット２０に入った状態で円周方向に移動する状態や、外円体２１の形や回転の様子、内円体２２の形や回転の様子、受入口１１や排出口１２の相対的位置等が視認される。
【００１８】
次に上記で説明した入賞装置７の動作、作用について、簡単な例を図５〜図７で説明する。
先ず条件を説明する。図５を参照して、内円体２２の充足半径Ｒ１は保持ポケット２０ａ内での遊技球Ｂの位置（半径方向位置）を排出口１２にちょうど重なることができる半径方向位置まで押し上げることができる。非充足半径Ｒ２においては遊技球Ｂが排出口１２にちょうど重なるような半径方向位置とはならない。そして前記充足半径Ｒ１の領域を全周の２／３とし、残りの１／３が非充足半径Ｒ２とする。また外円体２１の速度２Ｖと内円体２２の速度Ｖとを２対１の速度比とする。ケース体１０の受入口１１に対して排出口１２が円周方向に４５度の角度位置に配置されている。
そして初期状態として、外円体２１の受入溝部２１ａ（回転体２０の保持ポケット２０ａ）がちょうどケース体１０の受入口１１に重なる位置（垂直位置）にあるときに、内円体２２の充足半径Ｒ１領域の中央位置が保持ポケット２０ａ内に位置しているとする（図５、図６の（Ａ））。
【００１９】
今、図６の（Ａ）に示す初期状態で、保持ポケット２０ａが受入口１１から遊技球Ｂを１個受け取る。保持ポケット２０ａは外円体２１の回転に従って円周方向に回転され、一緒に遊技球Ｂも円周方向に移動される。そして外円体２１が速度２Ｖで４５度回転して排出口１２のある円周位置にきたとき、内円体２２は速度Ｖで約２２．５度回転するが、この時点では、内円体２２はその充足半径Ｒ１領域が前記保持ポケット２０ａに侵入して遊技球Ｂを下から保持している。このため、遊技球Ｂの半径方向位置が排出口１２の半径方向位置にちょうど重なることができる。これによって遊技球Ｂは排出口１２から排出される（図６の（Ｂ））。排出口１２から排出された遊技球は遊技盤１の背面側の図示しない入賞検出手段へ導かれて、入賞が検出される。この入賞により、大入賞口８が一定の条件で開放される。
その後、空となった保持ポケット２０ａは図６の（Ｃ）、（Ｄ）、（Ｅ）と回転し、再び遊技球Ｂを受け入れることができる（Ｆ）の遊技球受入位置に戻る。この（Ｆ）の位置は、外円体２１にとっては３６０度回転した位置であるが、内円体２２にとっては１８０度回転した位置となる。従って内円体２２は、その非充足半径Ｒ２の中央位置が保持ポケット２０ａに侵入した状態となる。以上のように、図６の（Ａ）〜（Ｆ）は入賞サイクルを構成する。
【００２０】
次に図７を参照して、保持ポケット２０ａの遊技球Ｂが排出口１２へ排出されない非入賞サイクルの例を説明する。
図７の（Ａ）は前記図６の（Ｆ）の状態であり、この状態では内円体２２の非充足半径Ｒ２の中央位置が保持ポケット２０ａに侵入した状態となる。他の条件は図６の（Ａ）の場合と同じである。
図７の（Ａ）の状態から更に保持ポケット２０ａが４５度回転して排出口１２の円周方向位置にきたとき（図７の（Ｂ））、内円体２２は２２．５度回転するが、未だ内円体２２の非充足半径Ｒ２領域が保持ポケット２０ａ内で遊技球Ｂを下げており、遊技球Ｂの半径方向位置が排出口１２の半径方向位置と一致しない。このため遊技球Ｂは排出口１２に排出されることなく、保持ポケット２０ａ内に保持されたまま、図７の（Ｃ）、（Ｄ）、（Ｅ）と回転し、再び遊技球Ｂを受け入れることができる（Ｆ）の遊技球受入位置に戻る。この（Ｆ）の位置は、外円体２１にとっては３６０度回転した位置であるが内円体２２にとっては１８０度回転した位置である。
【００２１】
前記図７の（Ｆ）の位置は、図６の（Ａ）の位置に復帰した位置である。従って次のサイクルは入賞サイクルとなる。即ち図６と図７で説明した例は、入賞サイクルと非入賞サイクルが交互にくる例と言える。
【００２２】
図８、図９を参照して、本発明の第２の実施形態を説明する。
この実施形態は、排出口１２の他にケース体１０に第２排出口１４を設けたものである。第２排出口１４は、排出口１２が４５度の円周位置にあるのに対して２７０度進んだ位置、即ち３１５度の円周位置に設けられている。半径方向位置は排出口１２と同じである。他の条件は上記図５〜図７で説明した条件と同じである。
図８の（Ａ）の状態で遊技球Ｂを保持ポケット２０ａに受け取ると、４５度円周方向に移動した時点で、遊技球Ｂを排出口１２に排出し（図８の（Ｂ））、その後（Ｃ）、（Ｄ）、（Ｅ）と移動し、３６０度回転して再び遊技球Ｂを受け入れることができる（Ｆ）の遊技球受入位置に戻る。この（Ｆ）の位置は、外円体２１にとっては３６０度回転した位置であるが、内円体２２にとっては１８０度回転した位置となる。従って内円体２２は、その非充足半径Ｒ２の中央位置が保持ポケット２０ａに侵入した状態となる。
前記図８の（Ｆ）の状態は、図９の（Ａ）の状態であり、遊技球Ｂを受けて次の図９の（Ｂ）、（Ｃ）、（Ｄ）、（Ｅ）、（Ｆ）のサイクルに入る。
このサイクルでは、保持ポケット２０ａが４５度円周方向に移動したとき（図９の（Ｂ））においては、内円板２２に非充足半径Ｒ２領域が保持ポケット２０ａに侵入して遊技球Ｂを下げているため、遊技球Ｂはその半径方向位置が排出口１２の半径方向位置に一致せず、遊技球Ｂは排出口１２に排出されない。このため保持ポケット２０ａは遊技球Ｂを保持したまま、更に図９の（Ｃ）、（Ｄ）と回転して、３１５度回転した位置に達する（図９の（Ｅ））。
３１５度の円周方向位置（図９の（Ｅ））においては、内円体２２は既にその充足半径Ｒ１領域を保持ポケット２０ａに侵入させており、遊技球Ｂの半径方向位置が第２排出口１４の半径方向位置と一致する。従って遊技球Ｂは第２排出口１４から排出され、遊技盤１の背面側の入賞検出手段に導かれる。その後、保持ポケット２０ａは再び遊技球Ｂを受け入れることができる図９の（Ｆ）の遊技球受入位置に戻る。この図９（Ｆ）の状態は図８の（Ａ）の状態である。
以上のようにして、２つの排出口１２、１４を設けることで、２種類の入賞サイクルがもたらされる。
【００２３】
図１０を参照して、本発明の第３の実施形態を説明する。
この第３の実施形態は、排出口１２の他にケース体１０の背面（基部１０ａ）にハズレ口１５を設けたものである。ハズレ口１５は、保持ポケット２０ａの円周方向への移動において排出口１２よりも後方に巡ってくる位置に配置される。ハズレ口１５の大きさは、保持ポケット２０ａ内の何れの位置に遊技球Ｂがあっても、ハズレ口１５と一致する大きさとする。
図１０の（Ａ）において遊技球Ｂを受け取った保持ポケット２０ａが、図１０の（Ｂ）において遊技球Ｂを排出口１２に排出できなかった場合には、更に図１０の（Ｃ）を経てハズレ口１５と一致する図１０の（Ｄ）の状態となり、遊技球Ｂをハズレ口１５から遊技盤１の背面側に徐球する。そして更に図１０の（Ｅ）を経て保持ポケット２０ａは再び遊技球Ｂを受け入れることができる図１０の（Ｆ）の遊技球受入位置に戻る。なお、この図１０の（Ｆ）から始まる次のサイクルは、入賞サイクルとなる。
【００２４】
図１１を参照して、本発明の第４の実施形態を説明する。
この第４の実施形態は、排出口１２の他にケース体１０の下側面（カバー部１０ｂ）にハズレ口１６を設けたものである。
図１１の（Ａ）において遊技球Ｂを受け取った保持ポケット２０ａが、図１１の（Ｂ）において遊技球Ｂを排出口１２に排出できなかった場合には、更に図１１の（Ｃ）を経てハズレ口１６と一致する図１１の（Ｄ）の状態となり、遊技球Ｂをハズレ口１６から遊技領域２に向けて徐球する。そして更に図１１の（Ｅ）を経て保持ポケット２０ａは再び遊技球Ｂを受け入れることができる図１１の（Ｆ）の遊技球受入位置に戻る。
前記ハズレ口１６から遊技領域２に徐球された遊技球Ｂは、遊技領域２を流下する。
【００２５】
図１２を参照して、本発明の第５の実施形態を説明する。
この第５の実施形態は、図１２の（Ｃ）を参照して、内円体２２の充足半径Ｒ１領域を内円体２２の円周のごく狭い一部領域に限定し、非充足半径Ｒ２領域を大部分としている。充足半径Ｒ１が保持ポケット２０ａ内に侵入した僅かな期間のみ遊技球Ｂの位置（半径方向位置）を排出口１２にちょうど重なることができる半径方向位置まで押し上げることができる。外円体２１の速度２Ｖと内円体２２の速度Ｖとを２対１の速度比とする。ケース体１０の受入口１１に対して排出口１２が円周方向に４５度の角度位置に配置されている。
そして初期状態として、回転体２０の保持ポケット２０ａがちょうどケース体１０の受入口１１に重なる位置（垂直位置）にあるときに、内円体２２の充足半径Ｒ１領域が受入口１１（垂直位置）から円周方向に２２．５度の角度位置にあるとする。
【００２６】
図１２の（Ａ）に示す初期状態で、保持ポケット２０ａが受入口１１から遊技球Ｂを１個受け取る。外円体１１が速度２Ｖで４５度回転して排出口１２のある円周位置にきたとき、内円体２２は速度Ｖで約２２．５度回転することから、この時点では内円体２２はその充足半径Ｒ１領域がちょうど前記保持ポケット２０ａに侵入して遊技球Ｂを押し上げ、遊技球Ｂの半径方向位置を排出口１２の半径方向位置に一致させる。これによって遊技球Ｂは排出口１２から排出される（図１２の（Ｂ））。
その後、空となった保持ポケット２０ａは図１２の（Ｃ）、（Ｄ）、（Ｅ）と回転し、再び遊技球Ｂを受け入れることができる（Ｆ）の遊技球受入位置に戻る。この（Ｆ）の位置は、外円体２１にとっては３６０度回転した位置であるが、内円体２２にとっては１８０度回転した位置となる。従って内円体２２の充足半径Ｒ１は２０２．５度の角度位置となる。よって次のサイクルでは保持ポケット２０ａ内の遊技球Ｂを排出口１２に排出することができない、非入賞サイクルとなる。しかし更に次のサイクルでは、再び入賞サイクルとなる。
【００２７】
なお以上の実施形態においては、入賞装置７のケース体１０から内部の外円体２１、内円体２２、保持ポケット２０ａ、排出口１２、第２排出口１４、ハズレ口１５、１６等や、それらの動きが見える状態になされている。しかしながら、ケース体１０の前面部に目隠板等の目隠手段を設けて、内部の内円体２２等の一部部材の動きが見えないようにしてもよい。
【００２８】
以上の第１〜第５の実施形態で示した例は、ごく単純な例である。
保持ポケット２０ａに保持された遊技球Ｂの円周方向の動きは、外円体２１の回転方向、回転速度（途中停止を含む）を種々に変化させることで、種々の変化に富んだ動きとすることができる。
また保持ポケット２０ａに保持された遊技球Ｂの半径方向の動きは、内円体２２の半径を円周方向に変化に富んだものとすることで、また内円体の回転方向、回転速度（途中停止を含む）を種々に変化させることで、種々変化に富んだ動きとすることができる。
そして保持ポケット２０ａに保持された遊技球Ｂが排出口１２から排出（入賞）されるか否かは、排出口１２の円周方向位置、半径方向位置、外円体２１の回転速度、内円体２２の回転速度、それらの回転速度比、内円体２２の充足半径Ｒ１領域の幅と位置等によって、非常に変化に富んだものとし、また排出口１２に排出される直前まで排出されるか否かが予測し難いようにすることができる。また排出口１２に排出される（入賞される）入賞サイクルと入賞されない非入賞サイクルが非常に変化に富んだものとすることができる。更に同じ入賞サイクルであっても、入賞するまでの時間が種々変化するものとすることができる。
勿論、排出口１２の他に第２排出口１４等の複数の排出口を設けることによって、またハズレ口１５、１６を設けることで、保持ポケット２０ａに保持されて移動して行く遊技球の動きを一層面白くて、予想がつき難く、移動開始から終始、期待感をもって、且つ次第に緊迫感を高めながら見つめて行くことになり、従来のパチンコ遊技機にない緊迫感と期待感に充ちた遊技状態を経験することができる。また最後に排出口に入ったときの十分な達成感を味わうことができる。
【図面の簡単な説明】
【００２９】
【図１】本発明に係るパチンコ遊技機の遊技盤の正面図である。
【図２】本発明の第１の実施形態であるパチンコ遊技機の入賞装置の斜視図である。
【図３】本発明の第１の実施形態であるパチンコ遊技機の入賞装置の分解斜視図である。
【図４】本発明の第１の実施形態であるパチンコ遊技機の入賞装置の断面図である。
【図５】本発明に第１の実施形態であるパチンコ遊技機の入賞装置のケース体と外円体と内円体と排出口との位置関係を示す図である。
【図６】本発明の第１の実施形態であるパチンコ遊技機の入賞装置における入賞サイクルの動作、作用を説明する図である。
【図７】本発明の第１の実施形態であるパチンコ遊技機の入賞装置における非入賞サイクルの動作、作用を説明する図である。
【図８】本発明の第２の実施形態であるパチンコ遊技機の入賞装置における入賞サイクルの動作、作用を説明する図である。
【図９】本発明の第２の実施形態であるパチンコ遊技機の入賞装置における別の入賞サイクルの動作、作用を説明する図である。
【図１０】本発明の第３の実施形態であるパチンコ遊技機の入賞装置における非入賞サイクルの動作、作用を説明する図である。
【図１１】本発明の第４の実施形態であるパチンコ遊技機の入賞装置における非入賞サイクルの動作、作用を説明する図である。
【図１２】本発明の第５の実施形態であるパチンコ遊技機の入賞装置における入賞サイクルの動作、作用を説明する図である。
【符号の説明】
【００３０】
１      遊技盤
２      遊技領域
３      センターケース
３ａ    図柄表示部
４      始動口
５      電動役物
６      振分装置
７      入賞装置
８      大入賞口
１０    ケース体
１０ａ  基部
１０ｂ  カバー部
１０ｃ  ガイド突起
１１    受入口
１２    排出口
１３    排出樋
１４    第２排出口
１５    ハズレ口
１６    ハズレ口
２０    回転体
２０ａ  保持ポケット
２１    外円体
２１ａ  受入溝部
２１ｂ  円板
２１ｃ  短筒
２１ｄ  スリット
２２    内円体
２２ａ  ボス孔
２３    外円体用駆動源
２３ａ  回転シャフト
２４    ボールベアリング
２５    内円体用駆動源
２５ａ  回転シャフト
２６    ギア
２７    ギア
Ｂ      遊技球
【図１】
2007000512.tif 000003
【図２】
2007000512.tif 000004
【図３】
2007000512.tif 000005
【図４】
2007000512.tif 000006
【図５】
2007000512.tif 000007
【図６】
2007000512.tif 000008
【図７】
2007000512.tif 000009
【図８】
2007000512.tif 000010
【図９】
2007000512.tif 000011
【図１０】
2007000512.tif 000012
【図１１】
2007000512.tif 000013
【図１２】
2007000512.tif 000014